(57)【要約】【課題】防水性能及び低振動性能を確保できると共に、組立が容易であり、しかも、組立後の部材のがたつきを抑制できる電動ポンプを提供する。【解決手段】電動ポンプＰ１では、ステータ３１及びモータハウジング６０と支持部材７０との間に第一ガスケット１００が介在され、支持部材７０と基板ハウジング９０との間に第二ガスケット１１０が介在されている。また、電動ポンプＰ１は、支持部材７０にステータ３１を組み付ける第一スナップフィット構造１２０と、モータハウジング６０を支持部材７０に組み付ける第二スナップフィット構造１３０と、基板ハウジング９０を支持部材７０に組み付ける第三スナップフィット構造１４０とを備える。【選択図】図６
2019152207.tif 000002
【特許請求の範囲】
【請求項１】
インペラと、
前記インペラに固定されたロータと、前記ロータの径方向外側に設けられたステータとを有するモータ部と、
前記インペラを収容するポンプ室を有するポンプハウジングと、
前記ロータを内側に収容する内筒部と、前記内筒部の径方向外側に形成され、前記内筒部との間に前記ステータを収容する外筒部とを有するモータハウジングと、
前記モータハウジングに対する前記ポンプハウジングと反対側に配置された支持部材と、
前記支持部材に対する前記モータハウジングと反対側に配置された回路基板と、
前記支持部材に対する前記モータハウジングと反対側に配置され、前記回路基板を収容する基板ハウジングと、
前記ステータ及び前記モータハウジングと前記支持部材との間に介在された第一ガスケットと、
前記支持部材と前記基板ハウジングとの間に介在された第二ガスケットと、
前記ステータに形成された第一係止部と、前記第一係止部と係止された第一被係止部を有し、前記支持部材に形成された第一弾性片とを有する第一スナップフィット構造と、
前記モータハウジングに形成された第二係止部と、前記第二係止部と係止された第二被係止部を有し、前記支持部材に形成された第二弾性片とを有する第二スナップフィット構造と、
前記支持部材に形成された第三係止部と、前記第三係止部と係止された第三被係止部を有し、前記基板ハウジングに形成された第三弾性片とを有する第三スナップフィット構造と、
を備える電動ポンプ。
【請求項２】
前記第二弾性片には、前記基板ハウジングの側から切り欠かれた形状の切欠部が形成され、
前記切欠部と前記第三係止部とは、前記支持部材の周方向における同じ位置にあり、
前記第三被係止部は、前記第三弾性片が前記切欠部の内側に挿入された状態で、前記第三係止部と係止されている、
請求項１に記載の電動ポンプ。
【請求項３】
前記第一弾性片は、前記第二弾性片及び前記第三弾性片よりも前記支持部材の径方向内側に配置され、
前記第一係止部、前記第一被係止部、前記第二係止部、前記第二被係止部、前記第三係止部、及び前記第三被係止部は、前記支持部材の軸方向に沿った前記第二弾性片の長さ方向の範囲内に配置されている、
請求項２に記載の電動ポンプ。
【請求項４】
前記ステータは、ステータコアと、前記ステータコアが内側に圧入されたステータヨークとを有し、
前記支持部材は、円筒部と、前記円筒部の外周面に形成された環状凸部とを有し、
前記ステータヨーク、前記外筒部、及び前記基板ハウジングの周壁部は、前記円筒部の径方向外側に位置し、
前記ステータヨーク及び前記外筒部は、前記環状凸部の軸方向第一側から前記環状凸部と対向し、
前記周壁部は、前記環状凸部の軸方向第二側から前記環状凸部と対向し、
前記第一ガスケットは、前記ステータヨーク及び前記外筒部と前記環状凸部との間に介在され、
前記第二ガスケットは、前記周壁部と前記環状凸部との間に介在され、
前記第一ガスケットの内周面及び前記第二ガスケットの内周面は、前記円筒部の外周面に全周に亘ってそれぞれ密着している、
請求項１〜請求項３のいずれか一項に記載の電動ポンプ。
【発明の詳細な説明】
【技術分野】
【０００１】
本発明は、電動ポンプに関する。
【背景技術】
【０００２】
電動ポンプとしては、次のものが公知である（例えば、特許文献１参照）。すなわち、公知の電動ポンプは、インペラと、モータ部と、ポンプハウジングと、モータハウジングと、回路基板と、基板ハウジングとを備える。
【０００３】
モータ部は、インペラに固定されたロータと、ロータの径方向外側に設けられたステータとを有する。ポンプハウジングは、インペラを収容するポンプ室を有し、モータハウジングは、ロータを内側に収容する内筒部と、内筒部の径方向外側に設けられ、内筒部との間にステータを収容する外筒部とを有する。
【０００４】
回路基板は、モータハウジングに対するポンプハウジングと反対側に配置されている。基板ハウジングは、回路基板に対するモータハウジングと反対側に配置され、回路基板を収容する。この電動ポンプにおいて、ポンプハウジング、モータハウジング、及び基板ハウジングは、一体に組み付けられている。
【先行技術文献】
【特許文献】
【０００５】
【特許文献１】特許第５１６１６３６号公報
【発明の概要】
【発明が解決しようとする課題】
【０００６】
上記のような電動ポンプは、基本的な性能として、防水性能及び低振動性能が要求される場合がある。また、上記のような複数の部材によって構成される電動ポンプは、組立が容易であると共に、組立後に部材のがたつきが生じないことが要求される場合がある。
【０００７】
本発明は、上記課題に鑑みてなされたものであって、防水性能及び低振動性能を確保できると共に、組立が容易であり、しかも、組立後の部材のがたつきを抑制できる電動ポンプを提供することを目的とする。
【課題を解決するための手段】
【０００８】
請求項１に記載の電動ポンプは、インペラと、前記インペラに固定されたロータと、前記ロータの径方向外側に設けられたステータとを有するモータ部と、前記インペラを収容するポンプ室を有するポンプハウジングと、前記ロータを内側に収容する内筒部と、前記内筒部の径方向外側に形成され、前記内筒部との間に前記ステータを収容する外筒部とを有するモータハウジングと、前記モータハウジングに対する前記ポンプハウジングと反対側に配置された支持部材と、前記支持部材に対する前記モータハウジングと反対側に配置された回路基板と、前記支持部材に対する前記モータハウジングと反対側に配置され、前記回路基板を収容する基板ハウジングと、前記ステータ及び前記モータハウジングと前記支持部材との間に介在された第一ガスケットと、前記支持部材と前記基板ハウジングとの間に介在された第二ガスケットと、前記ステータに形成された第一係止部と、前記第一係止部と係止された第一被係止部を有し、前記支持部材に形成された第一弾性片とを有する第一スナップフィット構造と、前記モータハウジングに形成された第二係止部と、前記第二係止部と係止された第二被係止部を有し、前記支持部材に形成された第二弾性片とを有する第二スナップフィット構造と、前記支持部材に形成された第三係止部と、前記第三係止部と係止された第三被係止部を有し、前記基板ハウジングに形成された第三弾性片とを有する第三スナップフィット構造と、を備える。
【０００９】
この電動ポンプによれば、ステータ及びモータハウジングと支持部材との間には、第一ガスケットが介在されており、支持部材と基板ハウジングとの間には、第二ガスケットが介在されている。したがって、ステータ及びモータハウジングと支持部材との間、及び、支持部材と基板ハウジングとの間から水が浸入することを、第一ガスケット及び第二ガスケットにより阻止することができる。これにより、防水性能を確保することができる。
【００１０】
また、上述のように、ステータ及びモータハウジングと支持部材との間には、第一ガスケットが介在され、支持部材と基板ハウジングとの間には、第二ガスケットが介在されているので、モータ部の作動時にステータに生じる振動がモータハウジングに伝達しても、この振動を第一ガスケット及び第二ガスケットで吸収することができる。これにより、低振動性能を確保することができる。
【００１１】
さらに、ステータ及び支持部材には、第一スナップフィット構造が設けられ、モータハウジング及び支持部材には、第二スナップフィット構造が設けられ、支持部材及び基板ハウジングには、第三スナップフィット構造が設けられている。
【００１２】
そして、第一スナップフィット構造では、ステータに形成された第一係止部に、支持部材に形成された第一弾性片の第一被係止部が係止することにより、ステータが支持部材に組み付けられる。
【００１３】
また、第二スナップフィット構造では、モータハウジングに形成された第二係止部に、支持部材に形成された第二弾性片の第二被係止部が係止することにより、モータハウジングが支持部材に組み付けられる。
【００１４】
さらに、第三スナップフィット構造では、支持部材に形成された第三係止部に、基板ハウジングに形成された第三弾性片の第三被係止部が係止することにより、基板ハウジングが支持部材に組み付けられる。
【００１５】
このように、第一スナップフィット構造、第二スナップフィット構造、及び第三スナップフィット構造を用いて、ステータ、モータハウジング、及び基板ハウジングを支持部材に組み付けることができるので、組立を容易にすることができる。
【００１６】
しかも、上述のように、ステータ及びモータハウジングと支持部材との間には、第一ガスケットが介在され、支持部材と基板ハウジングとの間には、第二ガスケットが介在されている。したがって、第一ガスケット及び第二ガスケットの弾性力により、第一係止部と第一被係止部との間、第二係止部と第二被係止部との間、及び、第三係止部と第三被係止部との間には係止力（引っ掛かり力）が強まる方向に荷重が作用する。これにより、組立後の部材のがたつき、すなわち、具体的には、ステータ、支持部材、モータハウジング、及び基板ハウジングのがたつきを抑制することができる。
【００１７】
請求項２に記載の電動ポンプは、請求項１に記載の電動ポンプにおいて、前記第二弾性片には、前記基板ハウジングの側から切り欠かれた形状の切欠部が形成され、前記切欠部と前記第三係止部とは、前記支持部材の周方向における同じ位置にあり、前記第三被係止部は、前記第三弾性片が前記切欠部の内側に挿入された状態で、前記第三係止部と係止されている。
【００１８】
この電動ポンプによれば、第二弾性片に形成された切欠部と、第三係止部とは、支持部材の周方向における同じ位置にあり、第三被係止部は、第三弾性片が切欠部の内側に挿入された状態で、第三係止部と係止されている。したがって、第二スナップフィット構造及び第三スナップフィット構造を支持部材の周方向の同じ場所に集約できるので、例えば、第二スナップフィット構造及び第三スナップフィット構造が支持部材の周方向の異なる場所にそれぞれ設けられる場合に比して、電動ポンプの外周部の構造を簡素化することができる。
【００１９】
請求項３に記載の電動ポンプは、請求項２に記載の電動ポンプにおいて、前記第一弾性片は、前記第二弾性片及び前記第三弾性片よりも前記支持部材の径方向内側に配置され、前記第一係止部、前記第一被係止部、前記第二係止部、前記第二被係止部、前記第三係止部、及び前記第三被係止部は、前記支持部材の軸方向に沿った前記第二弾性片の長さ方向の範囲内に配置されている。
【００２０】
この電動ポンプによれば、第一弾性片は、第二弾性片及び第三弾性片よりも支持部材の径方向内側に配置されており、第一係止部、第一被係止部、第二係止部、第二被係止部、第三係止部、及び第三被係止部は、第二弾性片の長さ方向の範囲内に配置されている。したがって、例えば、第一弾性片が第二弾性片及び第三弾性片と支持部材の軸方向に並んで形成され、第一係止部及び第一被係止部が第二弾性片の長さ方向の範囲外にある場合に比して、電動ポンプを軸方向に小型化することができる。
【００２１】
請求項４に記載の電動ポンプは、請求項１〜請求項３のいずれか一項に記載の電動ポンプにおいて、前記ステータは、ステータコアと、前記ステータコアが内側に圧入されたステータヨークとを有し、前記支持部材は、円筒部と、前記円筒部の外周面に形成された環状凸部とを有し、前記ステータヨーク、前記外筒部、及び前記基板ハウジングの周壁部は、前記円筒部の径方向外側に位置し、前記ステータヨーク及び前記外筒部は、前記環状凸部の軸方向第一側から前記環状凸部と対向し、前記周壁部は、前記環状凸部の軸方向第二側から前記環状凸部と対向し、前記第一ガスケットは、前記ステータヨーク及び前記外筒部と前記環状凸部との間に介在され、前記第二ガスケットは、前記周壁部と前記環状凸部との間に介在され、前記第一ガスケットの内周面及び前記第二ガスケットの内周面は、前記円筒部の外周面に全周に亘ってそれぞれ密着している。
【００２２】
この電動ポンプによれば、第一ガスケットは、ステータヨーク及び外筒部と環状凸部との間に介在され、第二ガスケットは、周壁部と環状凸部との間に介在されている。そして、第一ガスケットの内周面及び第二ガスケットの内周面は、円筒部の外周面に全周に亘ってそれぞれ密着している。したがって、円筒部の外周面に沿って外筒部の内側空間（モータ室）から基板ハウジングの内側空間（回路室）へ異物が移動してしまうことを第一ガスケット及び第二ガスケットによって抑止できる。
【図面の簡単な説明】
【００２３】
【図１】本発明の第一実施形態に係る電動ポンプを軸方向第一側から見た斜視図である。
【図２】図１の電動ポンプを軸方向第二側から見た斜視図である。
【図３】図１の電動ポンプを軸方向第一側から見た分解斜視図である。
【図４】図１の電動ポンプを軸方向第二側から見た分解斜視図である。
【図５】図１の電動ポンプの縦断面図である。
【図６】図５のＡ部を拡大した図である。
【図７】第一実施形態に係る電動ポンプから回路基板及び基板ハウジングを取り外した状態で電動ポンプを軸方向第二側から見た図である。
【図８】図７のＢ部について第二ガスケットを支持部材に取り付ける様子を示す図である。
【図９】第二実施形態に係る電動ポンプから回路基板及び基板ハウジングを取り外した状態で電動ポンプを軸方向第二側から見た図である。
【図１０】図９のＣ部について第二ガスケットを支持部材に取り付ける様子を説明する図である。
【図１１】第二実施形態に係る電動ポンプにおける図６に対応する部分の断面図である。
【図１２】第二実施形態に係る電動ポンプにおける第三弾性片の斜視図である。
【図１３】第二実施形態に係る電動ポンプにおける第三弾性片の第三被係止部が第三係止部に係止される様子を示す斜視図である。
【発明を実施するための形態】
【００２４】
［第一実施形態］
はじめに、本発明の第一実施形態について説明する。
【００２５】
図１〜図５に示されるように、本発明の第一実施形態に係る電動ポンプＰ１は、インペラ１０と、モータ部２０と、ポンプハウジング５０と、モータハウジング６０と、支持部材７０と、回路基板８０と、基板ハウジング９０と、第一ガスケット１００と、第二ガスケット１１０とを備える。矢印Ａ１は、電動ポンプＰ１の軸方向第一側を示し、矢印Ａ２は、電動ポンプＰ１の軸方向第二側を示している。
【００２６】
インペラ１０は、後述するロータ２１の軸方向第一側に配置されている。このインペラ１０は、一例として樹脂製であり、複数の羽根１１と、カバー部１２とを有している。複数の羽根１１は、インペラ１０の中心部を中心に渦巻き放射状に延びている。カバー部１２は、円環盤状に形成されており、インペラ１０の軸方向第一側から複数の羽根１１を覆っている。インペラ１０は、後述するロータ２１のロータ本体部２２と共に樹脂で一体に形成されており、これにより、インペラ１０の全体は、ロータ２１に固定されている。
【００２７】
モータ部２０は、ロータ２１と、ステータ３１と、モータシャフト４１とを有する。ロータ２１は、ロータ本体部２２と、軸受２３と、ロータマグネット２４と、ロータコア２５とを有している。ロータ本体部２２は、樹脂製であり、円筒状に形成されている。軸受２３は、ロータ本体部２２の内周部に設けられており、ロータコア２５は、ロータ本体部２２の外周部に設けられている。ロータコア２５は、内周部及び外周部を有する二重の円筒構造となっており、ロータマグネット２４は、ロータコア２５の内周部と外周部との間に設けられている。
【００２８】
このロータ２１は、全体として概略円筒状（軸芯部に孔を有する概略円柱状）に形成されている。軸受２３の内側には、モータシャフト４１が挿入されており、ロータ２１は、モータシャフト４１に回転可能に支持されている。ロータ２１（ロータマグネット２４）は、後述するステータ３１の径方向内側にステータ３１と対向して配置されている。
【００２９】
ステータ３１は、ロータ２１の径方向外側に設けられている。このステータ３１は、ステータコア３２と、インシュレータ３３と、巻線３４と、ステータヨーク３５とを有している。ステータコア３２は、放射状に延びる複数のティース部３６を有している。インシュレータ３３は、ステータ３１に装着されており、巻線３４は、インシュレータ３３を介してティース部３６に巻回されている。ステータヨーク３５は、筒状に形成されており、ステータコア３２は、ステータヨーク３５の内側に圧入されている。このステータ３１は、全体として概略円環状に形成されている。
【００３０】
ポンプハウジング５０は、後述するモータハウジング６０の軸方向第一側に配置されている。このポンプハウジング５０は、モータハウジング６０側に開口する凹状に形成されており、ポンプハウジング５０の内側は、インペラ１０を収容するポンプ室５１として形成されている。ポンプハウジング５０は、例えば、このポンプハウジング５０の周壁部５２が後述するモータハウジング６０の周壁部６２に溶着されることにより、モータハウジング６０に組み付けられている。
【００３１】
このポンプハウジング５０は、インレットパイプ５３と、アウトレットパイプ５４とを有している。インレットパイプ５３は、ポンプハウジング５０の中心部からモータハウジング６０と反対側に延びており、アウトレットパイプ５４は、ポンプハウジング５０の外側部からポンプハウジング５０の接線方向に延びている。インレットパイプ５３には、ポンプ室５１と連通する吸入口５５が形成されており、アウトレットパイプ５４には、ポンプ室５１と連通する吐出口５６が形成されている。
【００３２】
モータハウジング６０は、いずれも有底筒状である内筒部６３及び外筒部６４を有する二重構造となっている。外筒部６４は、内筒部６３の径方向外側に形成されている。内筒部６３は、ポンプハウジング５０側に開口し、外筒部６４は、ポンプハウジング５０と反対側に開口している。
【００３３】
内筒部６３の内側には、ロータ２１が回転可能に収容されており、内筒部６３と外筒部６４との間には、ステータ３１が内筒部６３及び外筒部６４に圧入された状態で収容されている。内筒部６３の底壁部には、ポンプハウジング５０側に開口する凹状のシャフト支持部６５が形成されており、このシャフト支持部６５には、モータシャフト４１がインサート成形されている。なお、モータシャフト４１は、シャフト支持部６５に圧入されても良い。外筒部６４の底壁部は、内筒部６３の開口側の端部と連結されている。
【００３４】
支持部材７０は、モータハウジング６０に対するポンプハウジング５０と反対側に配置されている。この支持部材７０は、モータハウジング６０の軸方向にモータハウジング６０と対向する円盤部７１と、この円盤部７１の外周部の一部から円盤部７１の径方向外側に突出するコネクタ部７２とを有する。支持部材７０は、コネクタ部７２を有することから、コネクタ部材と称される場合がある。コネクタ部７２には、接続端子７３が設けられており、この接続端子７３には、ターミナル部７４が一体に形成されている。
【００３５】
この支持部材７０には、後に詳述する第一スナップフィット構造１２０によって、ステータ３１が組み付けられている。また、この支持部材７０には、後に詳述する第二スナップフィット構造１３０によって、モータハウジング６０が組み付けられている。このように、第一スナップフィット構造１２０及び第二スナップフィット構造１３０によってステータ３１及びモータハウジング６０が支持部材７０に組み付けられた状態で、ステータ３１及びモータハウジング６０と支持部材７０との間には、防水性及び防振性を有する弾性材である第一ガスケット１００が介在されている。
【００３６】
回路基板８０は、支持部材７０の円盤部７１に対するモータハウジング６０と反対側に配置されている。回路基板８０は、円盤部７１と対向しており、この円盤部７１に固定されている。回路基板８０には、ステータ３１から延びる巻線３４の端末部が接続されている。この回路基板８０には、ステータ３１の巻線３４に給電するためのモータドライバや、モータドライバを制御するための制御素子等が実装されている。また、回路基板８０には、接続端子７３から延びるターミナル部７４が接続されている。
【００３７】
基板ハウジング９０は、支持部材７０に対するモータハウジング６０と反対側に配置されている。この基板ハウジング９０は、支持部材７０側に開口する凹状に形成されている。基板ハウジング９０は、後に詳述する第三スナップフィット構造１４０によって支持部材７０に組み付けられている。このように、第三スナップフィット構造１４０によって基板ハウジング９０が支持部材７０に組み付けられた状態で、支持部材７０と基板ハウジング９０との間には、第一ガスケット１００と同様に防水性及び防振性を有する弾性材である第二ガスケット１１０が介在されている。
【００３８】
なお、電動ポンプＰ１には、複数の第一スナップフィット構造１２０、複数の第二スナップフィット構造１３０、及び複数の第三スナップフィット構造１４０が設けられている。第一実施形態では、一例として、支持部材７０の周方向の二箇所に第一スナップフィット構造１２０が設けられると共に、支持部材７０の周方向の四箇所に第二スナップフィット構造１３０及び第三スナップフィット構造１４０がそれぞれ設けられている。
【００３９】
そして、この電動ポンプＰ１では、回路基板８０によってステータ３１が給電されると、ステータ３１によって回転磁界が形成され、この回転磁界によってロータ２１に回転力が生じることにより、ロータ２１と共にインペラ１０が回転する。また、インペラ１０が回転すると、インレットパイプ５３の吸入口５５から流体が吸入されてポンプ室５１に搬送され、このポンプ室５１に搬送された流体がアウトレットパイプ５４の吐出口５６から吐出される。
【００４０】
続いて、図６を参照しながら、第一ガスケット１００及び第二ガスケット１１０による防水構造の詳細と、第一スナップフィット構造１２０、第二スナップフィット構造１３０、及び第三スナップフィット構造１４０による組付構造の詳細について説明する。図６は、図５のＡ部を拡大した図である。
【００４１】
支持部材７０に形成された円盤部７１は、より具体的には、円盤部７１の周壁部を形成する円筒部７１Ａと、この円筒部７１Ａの外周面７１Ｂに形成された環状凸部７１Ｃとを有する。環状凸部７１Ｃは、円筒部７１Ａの周方向に沿って環状に形成されている。環状凸部７１Ｃは、円筒部７１Ａの外周面７１Ｂの軸方向中央部に形成されている。環状凸部７１Ｃが円筒部７１Ａの外周面７１Ｂの軸方向中央部に形成されることにより、円筒部７１Ａの外周面７１Ｂは、環状凸部７１Ｃのモータハウジング６０側に位置する第一外周面７１Ｂ１と、環状凸部７１Ｃの基板ハウジング側９０に位置する第二外周面７１Ｂ２とを有する。円筒部７１Ａと環状凸部７１Ｃとの間には、第一弾性片１２３の第一被係止部１２２を金型で成形する際に金型の一部によって孔７５が形成される。この孔７５は、支持部材７０の軸方向に貫通している。
【００４２】
ステータヨーク３５及び外筒部６４は、円筒部７１Ａ（第一外周面７１Ｂ１）の径方向外側に位置し、さらに、外筒部６４は、ステータヨーク３５の径方向外側に位置する。また、基板ハウジング９０の周壁部９１は、円筒部７１Ａ（第二外周面７１Ｂ２）の径方向外側に位置する。ステータヨーク３５及び外筒部６４における環状凸部７１Ｃ側の端部３５Ａ、６４Ａは、環状凸部７１Ｃの軸方向第一側から環状凸部７１Ｃとそれぞれ対向している。また、基板ハウジング９０の周壁部９１における環状凸部７１Ｃ側の端部９１Ａは、環状凸部７１Ｃの軸方向第二側から環状凸部７１Ｃとそれぞれ対向している。
【００４３】
第一ガスケット１００は、ステータヨーク３５及び外筒部６４における環状凸部７１Ｃ側の端部３５Ａ、６４Ａと、環状凸部７１Ｃとの間に設けられている。この第一ガスケット１００は、円筒部７１Ａ（第一外周面７１Ｂ１）の径方向外側に位置する。
【００４４】
ステータヨーク３５及び外筒部６４は、第一スナップフィット構造１２０及び第二スナップフィット構造１３０によって円盤部７１に組み付けられている。このように、ステータヨーク３５及び外筒部６４が円盤部７１に組み付けられた状態では、ステータヨーク３５及び外筒部６４の端部３５Ａ、６４Ａと環状凸部７１Ｃとの間に、第一ガスケット１００が圧縮変形した状態で介在される。つまり、第一スナップフィット構造１２０及び第二スナップフィット構造１３０の拘束力により、ステータヨーク３５及び外筒部６４の端部３５Ａ、６４Ａは、第一ガスケット１００に押し付けられている。
【００４５】
第二ガスケット１１０は、基板ハウジング９０の周壁部９１における環状凸部７１Ｃ側の端部９１Ａと環状凸部７１Ｃとの間に設けられている。この第二ガスケット１１０は、円筒部７１Ａ（第二外周面７１Ｂ２）の径方向外側に位置する。
【００４６】
基板ハウジング９０の周壁部９１は、第三スナップフィット構造１４０によって円盤部７１に組み付けられている。このように、基板ハウジング９０の周壁部９１が円盤部７１に組み付けられた状態では、周壁部９１の端部９１Ａと環状凸部７１Ｃとの間に、第二ガスケット１１０が圧縮変形した状態で介在される。つまり、第三スナップフィット構造１４０の拘束力により、周壁部９１の端部９１Ａは、第二ガスケット１１０に押し付けられている。
【００４７】
第一スナップフィット構造１２０は、ステータヨーク３５に形成された第一係止部１２１と、支持部材７０の円筒部７１Ａに形成され、第一被係止部１２２を有する第一弾性片１２３とによって構成されている。ステータヨーク３５には、ステータコア３２よりも支持部材７０側に突出する突出部３７が形成されており、第一係止部１２１は、突出部３７に形成されている。この第一係止部１２１は、一例として、ステータヨーク３５の径方向に貫通する穴の内周面における支持部材７０側の部分によって形成されている。
【００４８】
第一弾性片１２３は、円筒部７１Ａの周方向の一部に形成されており、この円筒部７１Ａからステータ３１側に延びている。第一弾性片１２３の先端部には、円筒部７１Ａの径方向外側に突出する突起状の第一被係止部１２２が形成されている。第一弾性片１２３は、第一ガスケット１００及び第二ガスケット１１０の内側に配置されている。
【００４９】
そして、第一弾性片１２３がステータヨーク３５の内側に挿入されると共に、第一被係止部１２２が第一係止部１２１に対する円筒部７１Ａと反対側から第一係止部１２１に係止されることにより、ステータヨーク３５が円筒部７１Ａに組み付けられている。また、第一係止部１２１及び第一被係止部１２２の拘束力により、ステータヨーク３５の端部３５Ａが第一ガスケット１００に押し付けられている。
【００５０】
第二スナップフィット構造１３０は、モータハウジング６０の外筒部６４に形成された第二係止部１３１と、支持部材７０の環状凸部７１Ｃに形成され、第二被係止部１３２を有する第二弾性片１３３とによって構成されている。第二係止部１３１は、外筒部６４の外周面に形成されている。この第二係止部１３１は、一例として、外筒部６４の外周面から径方向外側に突出する突起によって形成されている。
【００５１】
第二弾性片１３３は、環状凸部７１Ｃの外周部に形成されている。この第二弾性片１３３は、環状凸部７１Ｃの周方向の一部に形成されており、この環状凸部７１Ｃの外周部からモータハウジング６０側に延びている。第二弾性片１３３の先端部には、環状凸部７１Ｃの径方向内側に突出する突起状の第二被係止部１３２が形成されている。第二弾性片１３３は、第一ガスケット１００及び第二ガスケット１１０の外側に配置されている。
【００５２】
そして、第二弾性片１３３が外筒部６４の外周面に沿ってスライドされると共に、第二被係止部１３２が第二係止部１３１に対する環状凸部７１Ｃと反対側から第二係止部１３１に係止されることにより、外筒部６４が環状凸部７１Ｃに組み付けられている。また、第二係止部１３１及び第二被係止部１３２の拘束力により、外筒部６４の端部６４Ａが第一ガスケット１００に押し付けられている。
【００５３】
第三スナップフィット構造１４０は、支持部材７０の環状凸部７１Ｃに形成された第三係止部１４１と、基板ハウジング９０の周壁部９１に形成され、第三被係止部１４２を有する第三弾性片１４３とによって構成されている。第三係止部１４１は、一例として、環状凸部７１Ｃの外周側におけるモータハウジング６０側の端面によって形成されている。
【００５４】
第三弾性片１４３は、基板ハウジング９０の周壁部９１の外周面に形成されている。この第三弾性片１４３は、周壁部９１の周方向の一部に形成されており、この周壁部９１からモータハウジング６０側に延びている。第三弾性片１４３の先端部には、周壁部９１の径方向内側に突出する突起状の第三被係止部１４２が形成されている。第三弾性片１４３は、第一ガスケット１００及び第二ガスケット１１０の外側に配置されている。
【００５５】
そして、第三弾性片１４３が環状凸部７１Ｃの外周面に沿ってスライドされると共に、第三被係止部１４２が第三係止部１４１に対する環状凸部７１Ｃと反対側から第三係止部１４１に係止されることにより、周壁部９１が環状凸部７１Ｃに組み付けられている。また、第三係止部１４１及び第三被係止部１４２の拘束力により、周壁部９１の端部９１Ａが第二ガスケット１１０に押し付けられている。
【００５６】
また、上述の第二弾性片１３３には、基板ハウジング９０の側から切り欠かれた形状の切欠部１３４が形成されている。切欠部１３４と第三係止部１４１とは、支持部材７０の周方向における同じ位置にあり、第三被係止部１４２は、第三弾性片１４３が切欠部１３４の内側に挿入された状態で、第三係止部１４１と係止されている。
【００５７】
また、第一弾性片１２３は、第二弾性片１３３及び第三弾性片１４３よりも支持部材７０の径方向内側に配置されている。そして、第一係止部１２１、第一被係止部１２２、第二係止部１３１、第二被係止部１３２、第三係止部１４１、及び第三被係止部１４２は、支持部材７０の軸方向に沿った第二弾性片１３３の長さ方向の範囲Ｌ内に配置されている。
【００５８】
次に、第一実施形態の作用及び効果について説明する。
【００５９】
以上詳述したように、第一実施形態に係る電動ポンプＰ１によれば、ステータ３１及びモータハウジング６０と支持部材７０との間には、第一ガスケット１００が介在されており、支持部材７０と基板ハウジング９０との間には、第二ガスケット１１０が介在されている。したがって、ステータ３１及びモータハウジング６０と支持部材７０との間、及び支持部材７０と基板ハウジング９０との間から水が浸入することを、第一ガスケット１００及び第二ガスケット１１０により阻止することができる。これにより、防水性能を確保することができる。
【００６０】
また、上述のように、ステータ３１及びモータハウジング６０と支持部材７０との間には、第一ガスケット１００が介在され、支持部材７０と基板ハウジング９０との間には、第二ガスケット１１０が介在されているので、モータ部２０の作動時にステータ３１に生じる振動がモータハウジング６０に伝達しても、この振動を第一ガスケット１００及び第二ガスケット１１０で吸収することができる。これにより、低振動性能を確保することができる。
【００６１】
さらに、ステータ３１及び支持部材７０には、第一スナップフィット構造１２０が設けられ、モータハウジング６０及び支持部材７０には、第二スナップフィット構造１３０が設けられ、支持部材７０及び基板ハウジング９０には、第三スナップフィット構造１４０が設けられている。
【００６２】
そして、第一スナップフィット構造１２０では、ステータ３１に形成された第一係止部１２１に、支持部材７０に形成された第一弾性片１２３の第一被係止部１２２が係止することにより、ステータ３１が支持部材７０に組み付けられる。
【００６３】
また、第二スナップフィット構造１３０では、モータハウジング６０に形成された第二係止部１３１に、支持部材７０に形成された第二弾性片１３３の第二被係止部１３２が係止することにより、モータハウジング６０が支持部材７０に組み付けられる。
【００６４】
さらに、第三スナップフィット構造１４０では、支持部材７０に形成された第三係止部１４１に、基板ハウジング９０に形成された第三弾性片１４３の第三被係止部１４２が係止することにより、基板ハウジング９０が支持部材７０に組み付けられる。
【００６５】
このように、第一スナップフィット構造１２０、第二スナップフィット構造１３０、及び第三スナップフィット構造１４０を用いて、ステータ３１、モータハウジング６０、及び基板ハウジング９０を支持部材７０に組み付けることができるので、組立を容易にすることができる。
【００６６】
しかも、上述のように、ステータ３１及びモータハウジング６０と支持部材７０との間には、第一ガスケット１００が介在され、支持部材７０と基板ハウジング９０との間には、第二ガスケット１１０が介在されている。したがって、第一ガスケット１００及び第二ガスケット１１０の弾性力により、第一係止部１２１と第一被係止部１２２との間、第二係止部１３１と第二被係止部１３２との間、及び、第三係止部１４１と第三被係止部１４２との間には係止力（引っ掛かり力）が強まる方向に荷重が作用する。これにより、組立後の部材のがたつき、すなわち、具体的には、ステータ３１、支持部材７０、モータハウジング６０、及び基板ハウジング９０のがたつきを抑制することができる。
【００６７】
また、第一実施形態に係る電動ポンプＰ１によれば、第二弾性片１３３に形成された切欠部１３４と、第三係止部１４１とは、支持部材７０の周方向における同じ位置にあり、第三被係止部１４２は、第三弾性片１４３が切欠部１３４の内側に挿入された状態で、第三係止部１４１と係止されている。したがって、第二スナップフィット構造１３０及び第三スナップフィット構造１４０を支持部材７０の周方向の同じ場所に集約できるので、例えば、第二スナップフィット構造１３０及び第三スナップフィット構造１４０が支持部材７０の周方向の異なる場所にそれぞれ設けられる場合に比して、電動ポンプＰ１の外周部の構造を簡素化することができる。また、第二スナップフィット構造１３０及び第三スナップフィット構造１４０を直列に配置することで、ほぼ第二スナップフィット構造１３０のみの体積分だけ電動ポンプＰ１の外側に張り出すことになり、電動ポンプＰ１の径方向の体格の増加を抑制できる。
【００６８】
また、第一実施形態に係る電動ポンプＰ１によれば、第一弾性片１２３は、第二弾性片１３３及び第三弾性片１４３よりも支持部材７０の径方向内側に配置されており、第一係止部１２１、第一被係止部１２２、第二係止部１３１、第二被係止部１３２、第三係止部１４１、及び第三被係止部１４２は、第二弾性片１３３の長さ方向の範囲Ｌ内に配置されている。したがって、例えば、第一弾性片１２３が第二弾性片１３３及び第三弾性片１４３と支持部材７０の軸方向に並んで形成され、第一係止部１２１及び第一被係止部１２２が第二弾性片１３３の長さ方向の範囲Ｌ外にある場合に比して、電動ポンプＰ１を軸方向に小型化することができる。さらに、第一弾性片１２３が、第二弾性片１３３及び第三弾性片１４３よりも径方向内側に位置していることで、第二弾性片１３３及び第三弾性片１４３が軸方向に並んだ配置にすることができ、このことによっても電動ポンプＰ１を軸方向に小型化することができる。
【００６９】
次に、第一実施形態の変形例について説明する。
【００７０】
上記実施形態において、第二スナップフィット構造１３０及び第三スナップフィット構造１４０は、より好ましくは、支持部材７０の周方向における同じ位置に設けられるが、支持部材７０の周方向における異なる位置に設けられても良い。
【００７１】
また、上記実施形態において、第一係止部１２１、第一被係止部１２２、第二係止部１３１、第二被係止部１３２、第三係止部１４１、及び第三被係止部１４２は、より好ましくは、第二弾性片１３３の長さ方向の範囲Ｌ内に配置されるが、このように構成されていなくても良い。例えば、第三係止部１４１及び第三被係止部１４２は、第二弾性片１３３の長さ方向の範囲Ｌ外に配置されても良い。
【００７２】
また、第一スナップフィット構造１２０、第二スナップフィット構造１３０、第三スナップフィット構造１４０の複数の組合せは、周方向に９０度ピッチで４セット、又は１２度ピッチで３セットに配置されてもよい。また、第一スナップフィット構造１２０、第二スナップフィット構造１３０、第三スナップフィット構造１４０の複数の組合せは、周方向に不均等に配置されても良い。
【００７３】
［第二実施形態］
次に、本発明の第二実施形態について説明する。
【００７４】
本発明の第二実施形態は、上述の第一実施形態の改良に関する。はじめに、上述の第一実施形態において、第一の改良が要求される点について説明する。図７は、第一実施形態に係る電動ポンプＰ１から回路基板８０及び基板ハウジング９０を取り外した状態で電動ポンプＰ１を軸方向第二側から見た図である。
【００７５】
なお、第一実施形態では、一例として、支持部材７０の周方向の二箇所に第一スナップフィット構造１２０が設けられているが、図７の例では、支持部材７０の周方向の三箇所に第一スナップフィット構造１２０が設けられている。図８は、図７のＢ部について第二ガスケット１１０を支持部材７０に取り付ける様子を示す図である。
【００７６】
図７、図８に示されるように、支持部材７０の円盤部７１には、上述の第一弾性片１２３の第一被係止部１２２を金型で成形する際に金型の一部によって孔７５が形成される。この孔７５は、支持部材７０の軸方向に貫通している。また、この孔７５の一部は、円筒部７１Ａの外周面７１Ｂよりも径方向内側に位置する。このため、外周面７１Ｂに支持部材７０の軸方向に貫通する凹部７５Ａが形成される。
【００７７】
上述の第一ガスケット１００の内周面（図６参照）及び第二ガスケット１１０の内周面は、外周面７１Ｂに密着して設けられるが、この第一ガスケット１００及び第二ガスケット１１０によって凹部７５Ａが塞がれないため、この凹部７５Ａ（図６〜図８参照）を通じて外筒部６４の内側空間（モータ室）から基板ハウジング９０の内側空間（回路室）へ異物が移動してしまう虞がある。
【００７８】
そこで、第二実施形態では、第一の改良が施されている。以下、第一の改良について説明する。図９は、第二実施形態に係る電動ポンプＰ２から回路基板８０及び基板ハウジング９０を取り外した状態で電動ポンプＰ２を軸方向第二側から見た図である。図１０は、図９のＣ部について第二ガスケット１１０を支持部材７０に取り付ける様子を示す図である。
【００７９】
図９、図１０に示されるように、第一の改良では、上述の凹部７５Ａ（図７、図８参照）がなくなるまで円筒部７１Ａの外周面７１Ｂが縮径されており、孔７５が円筒部７１Ａの外周面７１Ｂに接する位置に形成されている。そして、これにより、凹部７５Ａが廃止されている。図１１は、第二実施形態に係る電動ポンプＰ２における図６に対応する部分の断面図である。
【００８０】
図１１に示されるように、第二実施形態では、第一ガスケット１００及び第二ガスケット１１０の内径も、円筒部７１Ａの外周面７１Ｂが縮径されることに合わせて縮径されている。そして、これにより、第一ガスケット１００の内周面及び第二ガスケット１１０の内周面は、円筒部７１Ａの外周面７１Ｂに全周に亘って密着している。したがって、この第一の改良によれば、円筒部７１Ａの外周面７１Ｂに沿って外筒部６４の内側空間（モータ室）から基板ハウジング９０の内側空間（回路室）へ異物が移動してしまうことを第一ガスケット１００及び第二ガスケット１１０によって抑止できる。
【００８１】
また、第一ガスケット１００及び第二ガスケット１１０の幅が、第一実施形態に比して増加するため、第一ガスケット１００及び第二ガスケット１１０による防水性及び防振性を向上させることができる。また、モータハウジング６０及びステータ３１と支持部材７０との間の安定性、及び、支持部材７０と基板ハウジング９０との間の安定性をそれぞれ向上させることができる。
【００８２】
続いて、上述の第一実施形態において、第二の改良が要求される点について説明する。図１２は、第二実施形態に係る電動ポンプＰ２における第三弾性片１４３の斜視図である。図１３は、第二実施形態に係る電動ポンプＰ２における第三弾性片１４３の第三被係止部１４２が第三係止部１４１に係止される様子を示す斜視図である。図１２、図１３は、第二の改良が施された第二実施形態を示す図であるが、この図１２、図１３を用いて、第一実施形態において、第二の改良が要求される点について説明する。
【００８３】
上述の第一実施形態において、第三弾性片１４３は、縦壁部１４４と、この縦壁部１４４の頂部に形成された第三被係止部１４２のみによって構成されている。しかしながら、このように第三弾性片１４３が構成されていると、第一ガスケット１００及び第二ガスケット１１０の反力により縦壁部１４４が外側へ反るように変形してしまい、第三スナップフィット構造１４０（図６参照）の固定機能が損なわれる虞がある。
【００８４】
ここで、縦壁部１４４の横幅方向の両側に縦壁部１４４の高さ方向に延びる一対のリブを設けると共に、この一対のリブの上端を第三被係止部１４２に接続して縦壁部１４４を補強することも考えられる。このように第三弾性片１４３が構成されていると、第一ガスケット１００及び第二ガスケット１１０の反力により縦壁部１４４が外側へ反るように変形することを抑制できるので、第三スナップフィット構造１４０の固定機能を確保できる。しかしながら、一対のリブにより第三弾性片１４３の大きさが大きくなってしまう。
【００８５】
そこで、第二実施形態では、第二の改良が施されている。以下、第二の改良について説明する。図１２に示されるように、第二の改良では、縦壁部１４４の横幅方向の中央部に縦壁部１４４の高さ方向に延びるリブ１４５が形成されると共に、このリブ１４５の上端が第三被係止部１４２に接続されることで縦壁部１４４が補強されている。このように構成されていると、第三弾性片１４３の大きさが大きくなることを抑制しつつ、第一ガスケット１００及び第二ガスケット１１０の反力により縦壁部１４４が外側へ反るように変形することを抑制できるので、第三スナップフィット構造１４０の固定機能を確保できる。
【００８６】
なお、この第二の改良では、第三弾性片１４３の成形性を考慮して、縦壁部１４４に対するリブ１４５の突出高さを、縦壁部１４４に対する第三被係止部１４２の突出高さに一致させている。また、縦壁部１４４の横幅方向の中央部にリブ１４５が形成されたことに対応して、図１３に示されるように、二つの第三係止部１４１が並んで形成されている。これにより、第三被係止部１４２を二つの第三係止部１４１に係止することができる。
【００８７】
以上、本発明の第一及び第二実施形態について説明したが、本発明は、上記に限定されるものでなく、上記以外にも、その主旨を逸脱しない範囲内において種々変形して実施可能であることは勿論である。
【符号の説明】
【００８８】
Ｐ…電動ポンプ、１０…インペラ、１１…羽根、１２…カバー部、２０…モータ部、２１…ロータ、２２…ロータ本体部、２３…軸受、２４…ロータマグネット、２５…ロータコア、３１…ステータ、３２…ステータコア、３３…インシュレータ、３４…巻線、３５…ステータヨーク、３６…ティース部、３７…突出部、４１…モータシャフト、５０…ポンプハウジング、５１…ポンプ室、５２…周壁部、５３…インレットパイプ、５４…アウトレットパイプ、５５…吸入口、５６…吐出口、６０…モータハウジング、６２…周壁部、６３…内筒部、６４…外筒部、６５…シャフト支持部、７０…支持部材、７１…円盤部、７１Ａ…円筒部、７１Ｂ…外周面、７１Ｃ…環状凸部、７２…コネクタ部、７３…接続端子、７４…ターミナル部、７５…孔、７５Ａ…凹部、８０…回路基板、９０…基板ハウジング、９１…周壁部、１００…第一ガスケット、１１０…第二ガスケット、１２０…第一スナップフィット構造、１２１…第一係止部、１２２…第一被係止部、１２３…第一弾性片、１３０…第二スナップフィット構造、１３１…第二係止部、１３２…第二被係止部、１３３…第二弾性片、１３４…切欠部、１４０…第三スナップフィット構造、１４１…第三係止部、１４２…第三被係止部、１４３…第三弾性片、１４４…縦壁部、１４５…リブ
【図１】
2019152207.tif 000003
【図２】
2019152207.tif 000004
【図３】
2019152207.tif 000005
【図４】
2019152207.tif 000006
【図５】
2019152207.tif 000007
【図６】
2019152207.tif 000008
【図７】
2019152207.tif 000009
【図８】
2019152207.tif 000010
【図９】
2019152207.tif 000011
【図１０】
2019152207.tif 000012
【図１１】
2019152207.tif 000013
【図１２】
2019152207.tif 000014
【図１３】
2019152207.tif 000015